(57)【要約】      （修正有）【課題】誘引したダニを確実に視認するようにしたダニ捕獲確認具を提供する。【解決手段】ハウスダスト混入防止壁４を外周部に設けるとともにダニ侵入部５を設けたプラスチックケース２にダニ誘引捕獲基材シート３を内装し、ダニ捕獲基材シートの中央部にダニ誘引剤６を設けて、そのダニ捕獲基材シートに周部に微小間隙８を設けてダニ捕獲確認用の透明粘着シート７を貼付して、透明粘着シートとダニ誘引捕獲基材シート３との間の微小間隙に誘引したダニを確認するようにしている。ダニ捕獲基材シートの周部に外周側に向って漸次間隔が広くなった微小間隙を設けてダニ捕獲基材シートの上面にダニ捕獲確認用の透明粘着シートを貼付することが好ましい。【選択図】図２
2020115819.tif 000002
【特許請求の範囲】
【請求項１】
ハウスダスト混入防止壁を外周部に設けるとともにダニ侵入部を設けたプラスチックケースにダニ捕獲基材シートを内装し、
上記ダニ捕獲基材シートの中央部にダニ誘引剤を設けて、そのダニ捕獲基材シートに周部に微小間隙を設けてダニ捕獲確認用の透明粘着シートを貼付して、透明粘着シートとダニ誘引捕獲基材シートとの間の微小間隙に誘引したダニを確認するように形成したことを特徴とするダニ捕獲確認具。
【請求項２】
ダニ捕獲基材シートの周部に外周側に向って漸次間隔が広くなった微小間隙を設けてダニ捕獲基材シートの上面にダニ捕獲視認用の透明粘着シートを貼付したことを特徴とする請求項１に記載のダニ捕獲確認具。
【請求項３】
プラスチックケース、ダニ誘引捕獲基材シートを長方形状とし、プラスチックケースの下ケースにダニ捕獲基材シートを長手方向にわたって設け、そのダニ捕獲基材シートの中央部に長手方向にわたってダニ誘引剤を設け、ダニ捕獲確認用の透明粘着シートをダニ誘引捕獲基材シートの長手方向にわたって貼付したことを特徴とする請求項１または２に記載のダニ捕獲確認具。
【請求項４】
プラスチックケースの上ケースと下ケースが開閉可能に嵌合してハウスダストが混入するのを防止可能にハウスダスト混入防止壁を設けるとともに、このプラスチックケースの外周壁に微小の間隙のダニ侵入部を所定間隔で設け、ダニ捕獲基材シートがダニが好む布材や不織布で薄状の暗黒色のものであり、プラスチックケースの少なくともダニ捕獲視認用の透明粘着シートの上方部が透明体であることを特徴とする請求項１ないし３のいずれかに記載のダニ捕獲確認具。
【請求項５】
ダニ捕獲確認のプラスチックケースをダニ捕獲マットに貼り付けたことを特徴とする請求項１ないし４のいずれかに記載のダニ捕獲確認具。
【発明の詳細な説明】
【技術分野】
【０００１】
本発明は、衛生分野におけるダニ捕獲確認具に関するものである。
【背景技術】
【０００２】
近年の住宅環境から、ダニが生息するのに好都合な環境が作り出され、屋内のカーペット、畳、布団、べッド、じゅうたん、自動車のシート等にダニが繁殖し、それらがアトビー性皮膚炎、気管支喘息等を誘引する原因であることがきわめて濃厚と考えられている。
【０００３】
そこで、出願人は、特許第３８４４９３５号公報のように誘引されて捕獲されたダニを簡単に確認できる覗き窓や観察窓を付けたものを開発している。
【先行技術文献】
【特許文献】
【０００４】
【特許文献１】特許第３８４４９３５号公報
【発明の開示】
【発明が解決しようとする課題】
【０００５】
しかし、ダニ捕獲具をカーペットや布団、ベッド等に設置すると、静電作用等によって吸引されたりしてダニ捕獲具にゴミ、塵などのハウスダストが混入し、洗い出し検査では１００％ダニを捕獲できているにもかかわらず、５０〜６０％の利用者がダニが見えなかったという結果で、捕獲したダニを確実に確認できるダニ捕獲確認具を開発するのが課題であった。
【課題を解決するための手段】
【０００６】
本発明は、上記のような点に鑑みたもので、上記の課題を解決するために、ハウスダスト混入防止壁を外周部に設けるとともにダニ侵入部を設けたプラスチックケースにダニ捕獲基材シートを内装し、上記ダニ捕獲基材シートの中央部にダニ誘引剤を設けて、そのダニ捕獲基材シートに周部に微小間隙を設けてダニ捕獲確認用の透明粘着シートを貼付して、透明粘着シートとダニ誘引捕獲基材シートとの間の微小間隙に誘引したダニを確認するように形成したことを特徴とするダニ捕獲確認具を提供するものである。
【０００７】
また、ダニ捕獲基材シートの周部に外周側に向って漸次間隔が広くなった微小間隙を設けてダニ捕獲基材シートの上面にダニ捕獲視認用の透明粘着シートを貼付したことを特徴とする請ダニ捕獲確認具を提供するものである。
【０００８】
また、プラスチックケース、ダニ誘引捕獲基材シートを長方形状とし、プラスチックケースの下ケースにダニ捕獲基材シートを長手方向にわたって設け、そのダニ捕獲基材シートの中央部に長手方向にわたってダニ誘引剤を設け、ダニ捕獲確認用の透明粘着シートをダニ誘引捕獲基材シートの長手方向にわたって設けたことを特徴とするダニ捕獲確認具を提供するものである。
【０００９】
さらに、プラスチックケースの上ケースと下ケースが開閉可能に嵌合してハウスダストが混入するのを防止可能にハウスダスト混入防止壁を設けるとともに、このプラスチックケースの外周壁に微小の間隙のダニ侵入部を所定間隔で設け、ダニ捕獲基材シートがダニが好む布材や不織布で薄状の暗黒色のものであり、プラスチックケースの少なくともダニ捕獲視認用の透明粘着シートの上方部が透明体であることを特徴とするダニ捕獲確認具を提供するものである。
【００１０】
さらにまた、ダニ捕獲確認のプラスチックケースをダニ捕獲マットに貼り付けたことを特徴とするダニ捕獲確認具を提供するものである。
【発明の効果】
【００１１】
本発明のダニ捕獲確認具は、特許請求の範囲の請求項１のように、ハウスダスト混入防止壁を外周部に設けるとともにダニ侵入部を設けたプラスチックケースにダニ捕獲基材シートを内装し、上記ダニ捕獲基材シートの中央部にダニ誘引剤を設けて、そのダニ捕獲基材シートに周部に微小間隙を設けてダニ捕獲確認用の透明粘着シートを貼付して、透明粘着シートとダニ誘引捕獲基材シートとの間の微小間隙に誘引したダニを確認するように形成ことによって、ダニ捕獲確認具のプラスチックケース内へのハウスダストの混入を防止できて、ダニが光や乾燥を著しく嫌ってすぐに潜り込む習性でダニをダニ侵入部から誘引して、透明粘着シートとダニ誘引捕獲基材シートとの間の微小間隙に侵入させて捕獲でき、プラスチックケースの上から捕獲したダニを確実に確認することができる。
【００１２】
また、請求項２のように、ダニ捕獲基材シートの周部に外周側に向って漸次間隔が広くなった微小間隙を設けてダニ捕獲基材シートの上面にダニ捕獲視認用の透明粘着シートを貼付したことによって、上記のように透明粘着シートとダニ誘引捕獲基材シートとのダニ捕獲基材シートの周部の外周側に向って漸次間隔が広くなった微小間隙に侵入して確実に捕獲したダニを見誤ることなく、プラスチックケースからダニを確実に確認することができる。
【００１３】
さらに、請求項３のように、プラスチックケース、ダニ誘引捕獲基材シートを長方形状とし、プラスチックケースの下ケースにダニ捕獲基材シートを長手方向にわたって設け、そのダニ捕獲基材シートの中央部に長手方向にわたってダニ誘引剤を設け、ダニ捕獲確認用の透明粘着シートをダニ誘引捕獲基材シートの長手方向にわたって設けたことによって、ダニをダニ捕獲基材シートの長手方向にわたったダニ誘引剤で誘引でき、長手方向にわたって設けた透明粘着シートとダニ誘引捕獲基材シートとの間の微小間隙に大量のダニを誘引できて、ダニを確実に確認することができる。
【００１４】
さらにまた、請求項４のように、プラスチックケースの上ケースと下ケースが開閉可能に嵌合してハウスダストが混入するのを防止可能にハウスダスト混入防止壁を設けるとともに、このプラスチックケースの外周壁に微小の間隙のダニ侵入部を所定間隔で設け、ダニ捕獲基材シートがダニが好む布材や不織布で薄状の暗黒色のものであり、プラスチックケースの少なくともダニ捕獲視認用の透明粘着シートの上方部が透明体であることによって、ハウスダストが混入するのを防止でき、ダニがプラスチックケースの外周の微小の間隙のダニ侵入部から誘引でき、ダニが好む布材や不織布の薄状の暗黒色であり、ダニ捕獲基材シートに潜り込んだりして侵入しやすくて、ダニをプラスチックケースから確実に確認することができる。
【００１５】
またさらに、請求項５のように、ダニ捕獲確認のプラスチックケースをダニ捕獲マットに貼り付けたことによって、ダニ捕獲具を布団、べッド等の所要のところに設置して、上記のようにダニ捕獲確認具で誘引されたダニを確認できるので、ダニ捕獲マットに確実にダニが誘引されて捕獲されていることを推定でき、商品の信頼性を高められる。
【図面の簡単な説明】
【００１６】
【図１】本発明の一実施例のダニ捕獲確認具の平面図、
【図２】同上の側断面図、
【図３】同上の説明用分解断面図、
【図４】同上のダニ捕獲確認具をダニ捕獲マットに貼り付けた状態の側面図、
【図５】同上の微小間隙についての他の実施例の拡大説明図（ａ）、（ｂ）、（ｃ）、
【図６】同上の他の実施例のダニ捕獲確認具の平面図（ａ）と背面図（ｂ）、
【図７】同上の側断面図、
【図８】同上の説明用分解断面図。
【発明を実施するための形態】
【００１７】
本発明のダニ捕獲確認具は、ハウスダスト混入防止壁を外周部に設けるとともにダニ侵入部を設けたプラスチックケースにダニ捕獲基材シートを内装し、上記ダニ捕獲基材シートの中央部にダニ誘引剤を設けて、そのダニ捕獲基材シートに周部に微小間隙を設けてダニ捕獲確認用の透明粘着シートを貼付して、透明粘着シートとダニ誘引捕獲基材シートとの間の微小間隙に誘引したダニを確認するように形成したことを特徴としている。
【００１８】
ダニ捕獲確認具１は、図１〜図３のように長方形状の矩形状として、薄い透明なシートで形成したプラスチックケース２の上ケース２ａを下ケース２ｂに折り畳み自在として開閉可能に形成し、内部にダニ捕獲基材シート３を装着してダニを誘引して確実に確認できるようにしている。
【００１９】
下ケース２ｂは、図１〜図３のように外周部に上方に折曲した断面コ字状のハウスダスト混入防止壁４を設け、その長手方向部に所定間隔で少し凹設して微小の間隙のダニ侵入部５を設け、その内側の段落部にダニ捕獲基材シート３を下ケース２ｂの長手方向にそって貼り付けて設けている。
【００２０】
上記ダニ捕獲基材シート３は、ダニが好む布材や不織布とした薄状の暗黒色のものであり、このダニ捕獲基材シート３の中央部に開口したりしてダニ誘引剤６を設け、このダニ誘引剤６を設けたダニ捕獲基材シート３にダニ捕獲確認用の裏側に粘着剤を塗着した透明のプラスチックシートの透明粘着シート７をその周部に微小間隙８を設けて貼付している。
【００２１】
上記ダニ捕獲基材シート３の周囲には、ダニ捕獲基材シート３の大きさの１０〜５０％に該当するようにダニ捕獲基材シート３に透明粘着シート７を中央部分等を押さえるようにして透明粘着シート７とダニ誘引捕獲基材シート３との周部に外周側に向って漸次間隔が広くなった１〜５ｍｍ程の間隙のダニが侵入しやすい微小間隙８が生じるようにして貼付することが好ましく、光や乾燥を著しく嫌ってすぐに潜り込む習性のダニを微小間隙８に誘引して捕獲することができる。微小間隙８部は、外周側に向って漸次間隔を広くすることによって、ダニが侵入しやすく、捕獲しやすく、ハウスダストの混入を防止でき、後述するいろいろな手段で実施することができる。
【００２２】
ダニ誘引剤６としては、ビール酵母等の食餌性誘引物質、食品香料等の臭香性誘引物質等が使用でき、特に臭香性のものが好ましい。
【００２３】
上ケース２ａは、図１〜図３のように周部に立ち上げ部９を設けて上記した下ケース２ｂの外周部のハウスダスト混入防止壁４部に密接状態に嵌合するようにしていて、上ケース２ａ、下ケース２ｂの一端部に蝶番状に折曲部１０を突設して折り曲げ自在とし、折り曲げて閉塞したときにその他方に突設した突き出し片１１が上ケース２ｂの突き出し片１２の切欠部１３に係入させて閉じておけるようにしている。なお、図４のように上ケース２ａの両側片の中程部にそれぞれ少し高く折曲してダニ侵入部５ａを設けて上記のダニ侵入部５と連通してダニを侵入可能としている。
【００２４】
上記ダニ捕獲確認具１は、単独で使用できるが、図４のようにプラスチックケース２の背面に両面接着シート１４等を貼り付けて、ダニ捕獲マット１５に取り付けて使用することもできる。このようにすると、ダニ捕獲確認具１を布団、べッド等の所要のところに設置して、上記のとおり誘引されたダニを確認して、ダニ捕獲マット１５に確実にダニが誘引されて捕獲されることを推定でき、商品の信頼性を高められる。
【００２５】
上記ダニ捕獲基材シート３には、図５（ａ）〜（ｃ）のように透明粘着シート７に所要の凹部の微小間隙形成部１６を設けたり、下ケース２ｂに外周部側に微小高く傾斜した微小間隙形成部１６を設けたり、ダニ誘引剤６部を少し高く設置して微小間隙形成部１６を設けたり、いろいろな手段で透明粘着シート７の周部に所要の微小間隙８を設けるようにできる。
【００２６】
ダニ捕獲確認具１は、図６〜図８のように所定径の円盤状として、プラスチックケース２の上ケース２ａを下ケース２ｂに開閉可能に嵌合するように形成できる。このダニ捕獲確認具１は、プラスチックケース２の下ケース２ｂの円盤状の外周部に歯車のように均一状に所定の間隔で突出部１７を突設し、その段落した内側に円形状のダニ捕獲基材シート３を内装し、このダニ捕獲基材シート３の中央部にダニ誘引剤６を設け、ダニ捕獲基材シート３に上記と同様にダニ捕獲確認用の透明粘着シート７をその周部に微小間隙８を設けて貼付している。
【００２７】
上ケース２ａは、図６〜図８のように周部を折曲して上記所定の間隔で突出部１７に嵌合するように嵌合部１８を均一状に所定の間隔で全周にわたって設けてハウスダスト混入防止壁４とし、これらの嵌合部１８間で形成される円弧状の微小な間隙部をダニ侵入部５として、上記と同様にしてダニを誘引して確認できるようにしている。
【００２８】
上記のようにダニ捕獲捕獲具１としては、矩形状や円形状の形態のものについて説明したが、その他の形状のものであっても同様に適用でき、またダニ侵入部やダニ捕獲確認等について本発明の趣旨にもとづいて適宜な変形態様を採択することができる。
【実施例】
【００２９】
図１以下は、本発明の実施例を示すものである。図１〜図３のようにダニ捕獲確認具１は、プラスチックケース２を０．１ｍｍの厚さの透明なポリプロピレン材で、ほぼ１１０ｍｍ×６０ｍｍ寸法、５ｍｍ厚さの矩形状に形成している。
【００３０】
ダニ捕獲確認具１は、図１〜図３のようにハウスダスト混入防止壁４を外周部に設けるとともに微小な間隙のダニ侵入部５、５ａを設けて、プラスチックケース２にダニ捕獲基材シート３を内装し、ダニ捕獲基材シート３の中央部にダニ誘引剤６を設け、をダニ捕獲基材シート３に裏側に粘着剤を塗着した透明のプラスチックシートのダニ捕獲確認用の透明粘着シート７をその周部に外周側に向って漸次間隔を広い１〜５ｍｍの微小間隙８を設けてダニを誘引して捕獲するようにしている。
【００３１】
上記ダニ捕獲基材シート３は、ダニが好む布材の薄状の黒色のものであり、ダニ捕獲基材シート３の５〜１０ｍｍの周部に上記したように透明粘着シート７の周部を１．０〜５．０ｍｍ浮かせるようにして微小間隙８を設けている。ダニ誘引剤６としては、ビール酵母の食餌性誘引物質、食品香料の臭香性誘引物質の臭香性のよいものとして、ダニを誘引しやすくしている。
【００３２】
上ケース２ａは、図１〜図３のように周部に立ち上げ部９を設けて上記した下ケース２ｂの外周部のハウスダスト混入防止壁４部に密接状態に嵌合するようにしていて、上ケース２ａ、下ケース２ｂの一端部に蝶番状に折曲部１０を突設して折り曲げ自在とし、折り曲げて閉塞したときにその他方に突設した突き出し片１１が上ケース２ｂの突き出し片１２の切欠部１３に係合して閉じておけるようにしている。
【００３３】
本実施例のダニ捕獲確認具１を布団、べッド等に設置すると、プラスチックケース２内へのハウスダストの混入を防止でき、ダニの光や乾燥を著しく嫌ってすぐに潜り込む習性からダニ誘引捕獲基材シート３と透明粘着シート７との間の微小間隙８に誘引して粘着剤で捕獲し、プラスチックケース２からダニを確実に確認することができる。
【００３４】
本実施例のダニ捕獲確認具１を布団に２〜３日間設置した結果、ダニ捕獲基材シート３の上面の透明粘着シート７との間の微小間隙８部に百〜数百匹のダニが集まり、微小間隙８部にハウスダストの混入を防止できて、見誤ることなく、プラスチックケース２からダニを確実に確認することができた。
【００３５】
プラスチックケース２、ダニ誘引捕獲基材シート３を長方形状としてその長手方向にわたってダニ誘引剤６を設けたことによって、ダニをダニ捕獲基材シート３の長手方向にわたってダニ誘引剤６で誘引でき、透明粘着シート７との微小間隙８に大量のダニを誘引できて、確実に確認することができた。
【００３６】
図４は、上記ダニ捕獲確認具１をプラスチックケース２の背面に両面接着シート１４を介して貼り付けて、ダニ捕獲マット１５に貼り付けたものである。このようにすると、ダニ捕獲確認具１を布団、べッド等の所要のところに設置して、上記のとおりダニ捕獲確認具１で誘引されたダニを確認して、ダニ捕獲マット１５に確実にダニが誘引されて捕獲されていることを推定でき、使用者の信頼性を高められる。
【００３７】
上記ダニ捕獲基材シート３には、図５（ａ）〜（ｃ）のように透明粘着シート７に所要の凹部の微小間隙形成部１６を設けたり、下ケース２ｂに外周部側に微小高さに傾斜した微小間隙形成部１６を設けたり、ダニ誘引剤６部を少し高く設置して微小間隙形成部１６を設けて透明粘着シート７の周部に所要の微小間隙８を設けるようにできる。
【００３８】
図６〜図８は、本発明の他の実施例で、ダニ捕獲確認具１は図のようにほぼ７０ｍｍ径、５ｍｍ厚さの円盤状としていて、プラスチックケース２の上ケース２ａを下ケース２ｂに開閉可能に嵌合したものである。
【００３９】
上記ダニ捕獲確認具１は、０．１ｍｍの厚さの透明なポリプロピレン材のプラスチックケース２の下ケース２ｂの円盤状の外周部に歯車のように均一状に２０ｍｍほどの間隔で５ｍｍほどの高さに突出部７を全周にわたって突設し、その段落した内側に円形状のダニ捕獲基材シート３を内装し、このダニ捕獲基材シート３の中央部にダニ誘引剤６を設け、ダニ捕獲基材シート３に上記と同様にその周部に１〜５ｍｍの所要の微小間隙８を設けてダニ捕獲確認用の透明粘着シート７を貼付している。
【００４０】
上ケース２ａは、図５〜図７のように周部を折曲して上記所定の間隔で突出部１７に嵌合するように嵌合部１８を均一状に所定の間隔で全周にわたって設けてハウスダスト混入防止壁４とし、これらの嵌合部１８間の円弧状の微小な間隙をダニ侵入部５として、上記と同様にしてダニを誘引して確認できるようにしている。
【００４１】
上記のダニ捕獲確認具１についても、同様にプラスチックケース２内へのハウスダストが微小間隙８に混入するのを防止できて、ダニをダニ侵入部５から誘引して透明粘着シート７とダニ誘引捕獲基材シート３との間の微小間隙８に誘引して捕獲して、プラスチックケース２からダニを確実に確認することができるようにしている。
【００４２】
本実施例でも、上記の実施例と同様に透明粘着シート７とダニ誘引捕獲基材シート３との間の微小間隙８に誘引し、ハウスダストとの誤認することなく、プラスチックケース２からダニを確実に確認することができ、本当にダニが捕獲されることを確認できた。
【００４３】
上記のようにダニ捕獲確認具１としては、矩形状や円形状の形態のものについて説明したが、その他の形状のものであっても同様に適用でき、本発明の趣旨にもとづいて適宜な変形態様を採択することができる。
【産業上の利用可能性】
【００４４】
本発明は、屋内のカーペット、畳、布団、べッド、じゅうたん、ブーツ、バッグ、自動車のシート等にダニが繁殖し、それらがアトビー性皮膚炎、気管支喘息等を誘引する原因であることがきわめて濃厚と考えられている衛生分野におけるダニ捕獲・捕殺用に利用できるとともに、ダニ汚染調査等にも広く利用できる。
【符号の説明】
【００４５】
１…ダニ捕獲確認具    ２…プラスチックケース    ３…ダニ捕獲確認基材シート
４…ハウスダスト混入防止壁    ５…ダニ侵入部    ６…ダニ誘引剤
７…透明粘着シート    ８…微小間隙      １６…ダニ捕獲マット
【図１】
2020115819.tif 000003
【図２】
2020115819.tif 000004
【図３】
2020115819.tif 000005
【図４】
2020115819.tif 000006
【図５】
2020115819.tif 000007
【図６】
2020115819.tif 000008
【図７】
2020115819.tif 000009
【図８】
2020115819.tif 000010